(57)【要約】【課題】  光触媒を用いて合併浄化装置からの排気中の臭気成分を分解するという処理を、脱臭塔などの大がかりな設備を用いずに低コストで実現する。光触媒の励起に必要な近紫外線の供給源を、自然光とブラックライトとの両方に求めて省電力を図る。【解決手段】  家庭用排汚水の臭気成分を分解するためのバクテリアに必要な空気が、槽内に供給された後に槽外に排気されるようになっている合併浄化槽の排気脱臭装置において、開口部１に外蓋３と通気性を有する中蓋４とを配置して排気室５を形成し、その排気室５に光源６と光触媒とを設置する。外蓋３や中蓋４に具備させたコーティング層に光触媒を含ませることも可能である。光センサー７によって光源の点灯消灯を制御して省電力を図ることも可能である。【選択図】        図２
2005111321.tif 000002
【特許請求の範囲】
【請求項１】
家庭用排汚水の臭気成分を分解するためのバクテリアに必要な空気が、槽内に供給された後に槽外に排気されるようになっている合併浄化槽の排気脱臭装置において、
合併浄化槽に具備されている開口部に、その開口部を覆う外蓋と、通気孔を有しかつ上記外蓋に対向してその外蓋との間に排気室を形成する中蓋とが備わり、上記排気室に、励起されることによって臭気成分を分解する光触媒と、その光触媒を近紫外線照射により励起する光源とが配備されていると共に、上記排気室を経て槽内の気体が槽外に排気されるようになっていることを特徴とする合併浄化槽の排気脱臭装置。
【請求項２】
上記光触媒が、上記外蓋及び中蓋のうちの少なくとも一方側部材の排気室側に臨む面に形成されたコーティング層に含まれていることを特徴とする合併浄化槽の排気脱臭装置。
【請求項３】
上記外蓋に、上記光触媒を励起する自然光を透過可能な透光部が備わり、上記光源がブラックライトでなると共に、そのブラックライトの点灯消灯が、自然光の明るさを感知して自然光が明るいときには当該ブラックライトを消灯させかつ自然光が暗いときには当該ブラックライトを点灯させる光センサーによって制御されるようになっている請求項１又は請求項２に記載した合併浄化槽の排気脱臭装置。
【請求項４】
上記外蓋の外周部に環状に設けられたリブと上記中蓋の外周部に設けられた筒部とが、上記開口部の口縁に環状に形成された蓋受け溝に嵌合されていると共に、上記排気室の気体を外部に逃がすための排気路が、上記リブと上記筒部との間に形成される隙間及び上記リブと蓋受け溝の溝面との間に形成される隙間によって形成され、かつ、上記筒部と上記蓋受け溝の内側壁との隙間が封止材によって密閉されている請求項１ないし請求項３のいずれか１項に記載した合併浄化槽の排気脱臭装置。
【発明の詳細な説明】
【技術分野】
【０００１】
本発明は合併浄化槽の排気脱臭装置に関する。
【背景技術】
【０００２】
家庭用排汚水を浄化するために設置される浄化槽において、バクテリアの作用によって排汚水を真水に返還した後、側溝などに排水する浄化槽システムでは、バクテリアの活動に必要な酸素を含む空気をブロアポンプにより浄化槽内に常時供給し、そうして槽内に供給された空気は、浄化槽の外蓋装着箇所の隙間や側溝の排水管を経て排気されるようになっている。そして、家庭用排汚水を処理する限りの浄化槽では、上記のようなバクテリアの活動によって外部に排出された排気が悪臭を放って社会問題になるという事態は、現状ではそれほど起こっていない。
【０００３】
しかしながら、近時では、浄化槽が合併浄化槽に置き換えられつつあり、その合併浄化槽では、家庭用排汚水だけでなく、風呂の残り湯、石鹸水、台所からの排水や油といった種々雑多な排水が混入する。そのため、上記したようなバクテリアの活動に頼る浄化槽システムでは、外部に放出される排気に高濃度の臭気成分が混入していることがあり、そのような排気が下水の完備していない団地内の住居の密集地域などに放出されると、その排気が悪臭を放って社会問題になることがあり、また、合併浄化槽を管理を職業している会社にとっては管理責任が問われるという状況に陥ることもある。
【０００４】
一方、従来では、合併浄化槽で発生する臭気を脱臭塔内に導き、その脱臭塔内で脱臭液により処理するという合併浄化槽の脱臭方法についての研究が行われている（特許文献１参照）。また、波長が３００〜４００ｎｍの近紫外光を二酸化チタンなどの光触媒に照射してその光触媒を励起させ、励起した光触媒によって汚れ付着物質や有害物質を分解、浄化、無害化あるいは殺菌する技術についても研究がなされている（特許文献２参照）。
【０００５】
【特許文献１】特開平１１−２７７０４７号公報
【特許文献２】特開平７−６０１３２号公報
【発明の開示】
【発明が解決しようとする課題】
【０００６】
以上の状況下において、合併浄化槽に脱臭塔を付設し、その脱臭塔内で臭気を処理するという特許文献１に記載の技術では、装置が大形化してその設置コストや管理コストが高く付くという問題がある。また、特許文献２に記載されている技術は、そのまま合併浄化槽の排気脱臭装置として適用することができない。
【０００７】
そこで、本発明は、光触媒を用いて合併浄化装置からの排気中の臭気成分を分解するということを基本とし、そのような臭気成分の分解を大がかりな脱臭塔などの設備を用いずに低コストで実現することのできる合併浄化槽の排気脱臭装置を提供することを目的とする。
【０００８】
また、本発明は、光触媒の励起に必要な近紫外線の供給源を、自然光とブラックライトとの両方に求めて省電力を図ることのできる合併浄化槽の排気脱臭装置を提供することを目的とする。
【課題を解決するための手段】
【０００９】
本発明に係る合併浄化槽の排気脱臭装置は、家庭用排汚水の臭気成分を分解するためのバクテリアの活動に必要な空気が、槽内に供給された後に槽外に排気されるようになっている合併浄化槽の排気脱臭装置において、合併浄化槽に具備されている開口部に、その開口部を覆う外蓋と、通気孔を有しかつ上記外蓋に対向してその外蓋との間に排気室を形成する中蓋とが備わり、上記排気室に、励起されることによって臭気成分を分解する光触媒と、その光触媒を近紫外線照射により励起する光源とが配備されていると共に、上記排気室を経て槽内の気体が槽外に排気されるようになっている。
【００１０】
この構成であると、槽内の気体が中蓋の通気孔を経て排気室に入ると、その排気室に配備されて光源によって照射された近紫外線を受けて励起した光触媒が、気体に含まれる臭気成分を分解する。そのため、排気室を経て槽外に排気される気体が減臭される。
【００１１】
本発明では、上記光触媒が、上記外蓋及び中蓋のうちの少なくとも一方側部材の排気室側に臨む面に形成されたコーティング層に含まれていることが望ましく、これによれば、排気室に光触媒の設置スぺースを特別に確保する必要がなくなって排気室の容積を小さく抑えることが可能になる。そのため、既存の合併浄化槽の開口部に、通気孔を有する中蓋を追加するだけで当該排気脱臭装置を安価に構成することが可能になる。
【００１２】
本発明では、上記外蓋に、上記光触媒を励起する自然光を透過可能な透光部が備わり、上記光源がブラックライトでなると共に、そのブラックライトの点灯消灯が、自然光に感応して日中は当該ブラックライトを消灯させかつ夜間は当該ブラックライトを点灯させる光センサーによって制御されるようになっている、という構成を採用することが可能であり、これによれば、光触媒の励起に必要な近紫外線を、日中は自然光（太陽光）で得ることができるので、それだけブラックライトでなる光源の動作に必要な電力を節約して維持コストの低減化を図りやすくなる。
【００１３】
本発明では、上記外蓋の外周部に環状に設けられたリブと上記中蓋の外周部に設けられた筒部とが、上記開口部の口縁に環状に形成された蓋受け溝に嵌合されていると共に、上記排気室の気体を外部に逃がすための排気路が、上記リブと上記筒部との間に形成される隙間及び上記リブと蓋受け溝の溝面との間に形成される隙間によって形成され、かつ、上記筒部と上記蓋受け溝の内側壁との隙間が封止材によって密閉されている、という構成を採用することが可能である。これによれば、槽内の臭気成分の含有割合の多い気体が排気室を通らずに直接に外部に排出されるという事態が防止され、外部に排出される気体がすべて排気室を通過することになるので、外部に排出される気体のすべてが光触媒の作用で減臭されたものになる。
【発明の効果】
【００１４】
以上のように、本発明に係る合併浄化槽の排気脱臭装置によれば、脱臭塔のような大がかりな設備を用いずに、しかも、既存の合併浄化槽の外観を変更することなく、その合併浄化槽に排気脱臭機能を付与することが低コストで可能になるという効果が奏される。そのため、下水の完備していない団地内の住居の密集地域においても有益な脱臭対策となり得る。
【００１５】
また、光センサーによる制御によって光触媒を励起するための光源を自然光とブラックライトとに切り換える構成を採用したものでは、夜間にだけ電力を必要とし、日中は電力を必要としないので、それだけ省電力を図って維持コストを低減することが可能になるという効果が奏される。
【発明を実施するための最良の形態】
【００１６】
図１は本発明に係る合併浄化槽の排気脱臭装置の概略縦断面図、図２は図１の要部の拡大図、図３は図２のＩＩＩ部拡大図、図４は中蓋４の部分上面図、図５は外蓋３の部分裏面図である。
【００１７】
図１及び図２において、１は合併浄化槽の開口部を示し、その開口部１の孔縁に環状の蓋受け溝２が備わり、その蓋受け溝２にドーム状の外蓋３の外周部裏面側にリング状に具備されたリブ３１を嵌合することによって、その外蓋３が開口部１に装着されてその開口部１を覆っている。また、中蓋４が開口部１に配備されている。この中蓋４は、外蓋３の下側でその外蓋３に対向して外蓋３との間に排気室５を形成している。図４のように、中蓋４には多数の通気孔４２が介設されていて、この通気孔４２を通して槽内の気体が排気室５に流入するようになっている。そして、図示していないけれども、外蓋３の内面全体と中蓋４の内面全体とのそれぞれに、酸化チタンなどの近紫外線照射により励起されて臭気成分を分解するという機能を発揮する光触媒を含むコーティング層が形成されている。図１及び図２において、６は光触媒を励起するための近紫外線を照射する光源であり、図例ではブラックライトが用いられていて、排気室５内の中央部に配備されている。
【００１８】
また、図３のように、外蓋３の外周部に環状に設けられたリブ３１と中蓋４の外周部に設けられた筒部４１とが、開口部１の口縁に環状に形成された蓋受け溝２に嵌合されていて、排気室５の気体を外部に逃がすための排気路が、上記リブ３１と筒部４１との間に形成される隙間Ｓ１及びリブ３１と蓋受け溝２の溝面２２との間に形成される隙間Ｓ２によって形成されている。しかも、筒部４１と蓋受け溝２の内側壁２１との隙間がスポンジなどの封止材４３によって密閉されている。この構成により、槽内の気体が排気室５を通らずに直接に外部に排出されるという事態が防止され、外部に排出される気体がすべて排気室５を通過することになる。なお、リブ３１と筒部４１との間に形成される隙間Ｓ１は、リブ３１の内径と筒部４１の外径とに寸法差を形成しておくことによって確保することができ、リブ３１と蓋受け溝２の溝面２２との間に形成される隙間Ｓ２は、リブ３１の下端のそのリブを横切るような溝を形成しておくことによっで確保することができる。
【００１９】
以上のように構成された合併浄化槽の排気脱臭装置において、バクテリアの活動を促す空気を槽内に供給し、併せて、ブラックライトでなる光源６を点灯させて外蓋３や中蓋４のコーティング層に含まれる光触媒を励起させておくと、槽内から中蓋４の通気孔４２を通過して排気室５に流入した気体中の臭気成分が光触媒の作用で分解される。そのため、排気室５から上記した隙間Ｓ１，Ｓ２を通過して外部に出た排気中には臭気成分が全く含まれていないか、あるいは、その臭気成分の含有割合が低くなって排気減臭効果が得られ、悪臭の放散に起因する環境悪化が生じないか、あるいは、軽減されるようになる。
【００２０】
光触媒を励起させて臭気成分を分解させるために必要な近紫外線は、光源６を点灯させることによって得られるけれども、日中や夜間を問わずに光源を常時点灯させておくことは省電力を図る上で好ましくない。そこで、次に、日中の自然光（太陽光）に含まれる近紫外線を光触媒を励起させて臭気成分を分解させるために用い、自然光を利用することのできない夜間にだけ光源６を点灯させてその近紫外線を光触媒の励起に用いるようにした事例を次に説明する。
【００２１】
図例では、図２に示したように、光源６に電気的接続した光センサー７を自然光が当たる箇所に設置してあり、光センサー７が特定の明るさの自然光を感知しているときには、光源６への給電を遮断する一方、特定の明るさの自然光を感知しなくなったときには光源６への給電が開始されるようになる電気回路（不図示）を構成してある。併せて、外蓋３には、光触媒を励起する自然光を透過可能な透光部を具備させておく。この透光部は、外蓋３の一部又は全部に形成した透明部分又は半透明部分によって形成することが可能である。なお、外蓋３の内面に形成してあるコーティング層にも透光性を付与しておくことが望ましい。
【００２２】
このように構成しておけば、自然光に近紫外線が含まれているため、日中の明るいときには、自然光を光センサー７が感知して光源６への給電が遮断された状態になる。そのため、光源６が消灯したままになるのに対し、排気室５には外蓋３を透過した自然光が届き、外蓋３や中蓋４のコーティング層に含まれる光触媒がその自然光の近紫外線により励起されて臭気成分を分解する機能を発揮する。これに対し、夜間の暗いときには、光センサー７が自然光を感知しなくなって光源６への通電状態が維持され、それによって光源６が点灯するので、光源６による近紫外線照射によって光触媒が励起されて臭気成分を分解する機能を発揮する。
【００２３】
このように、光センサー７による制御によって光触媒を励起するための光源６を自然光とブラックライトとに切り換える構成を採用しておくと、夜間にだけ電力を必要とし、日中は電力を必要としないので、それだけ省電力を図って維持コストを低減することが可能になる。
【００２４】
図１〜図５を参照して説明した各実施形態では、光触媒が、外蓋３及び中蓋４のそれぞれに形成したコーティング層に含まれる構成を採用したけれども、この点は、外蓋３及び中蓋４のうちの少なくとも一方側部材の排気室側に臨む面に形成されたコーティング層だけに光触媒を含ませておいてもよい。また、光触媒をコーティング層に含ませる代わりに、排気室５内に確保したスペースに設置することも可能である。
【図面の簡単な説明】
【００２５】
【図１】本発明に係る合併浄化槽の排気脱臭装置の概略縦断面図である。
【図２】図１の要部の拡大図である。
【図３】図２のＩＩＩ部拡大図である。
【図４】中蓋の部分上面図である。
【図５】外蓋３の部分裏面図である。
【符号の説明】
【００２６】
１  開口部
２  蓋受け溝
３  外蓋
４  中蓋
５  排気室
６  光源
７  光センサー
２２  溝面
４１  筒部
４２  通気孔
４３  封止材
Ｓ１，Ｓ２  隙間（排気路）
【図１】
2005111321.tif 000003
【図２】
2005111321.tif 000004
【図３】
2005111321.tif 000005
【図４】
2005111321.tif 000006
【図５】
2005111321.tif 000007